(57)【要約】【課題】発光面全域で均一に発光する有機ＥＬ素子を備えた照明装置を提供する。【解決手段】照明装置１は、第一電極１３０と第二電極１４０との間に発光層１５０を備えた有機ＥＬパネル１０と、電源３０と、電源切り替え部５０と、制御回路２０と、第一電極１３０に接続された複数の電源供給部と、を有する。複数の電源供給部のうち第一電源供給部８１が、電源に接続され、第二電源供給部８２が電源に接続されないように、制御回路２０によって電源切り替え部５０が制御される。第一電極１３０に電力を供給する電源供給部を順次高速に切り替えるので、使用者には照明装置１が平面的に均一に発光している様に感じられる。【選択図】図１
2012109203.tif 000002
【特許請求の範囲】
【請求項１】
第一電極と第二電極との間に設けられた発光層を備えた照明装置であって、
電源と、電源切り替え部と、制御回路と、前記第一電極に接続された複数の電源供給部と、を有し、
前記複数の電源供給部のうち第一電源供給部が、前記電源に接続され、第二電源供給部が前記電源に接続されないように、前記制御回路によって前記電源切り替え部が制御される事を特徴とする照明装置。
【請求項２】
前記電源切り替え部は、前記複数の電源供給部に接続する複数のスイッチからなる事を特徴とする請求項１に記載の照明装置。
【請求項３】
前記制御回路は前記複数のスイッチを選択的にオン状態にする事を特徴とする請求項２に記載の照明装置。
【請求項４】
前記電源切り替え部は、インバーター回路を含む事を特徴とする請求項１に記載の照明装置。
【請求項５】
前記電源供給部は第一電源供給部と第二電源供給部とを有し、
前記第一電源供給部は前記第一電極の第一辺に設けられ、前記第二電源供給部は前記第一電極の第二辺に設けられ、
前記第一電源供給部と前記第二電源供給部とは交互に前記電源と接続される事を特徴とする請求項１乃至４のいずれか一項に記載の照明装置。
【請求項６】
前記第一電極は多角形をなし、
前記第一辺と前記第二辺とが対向する様に配置されている事を特徴とする請求項５に記載の照明装置。
【請求項７】
第一電極と第二電極との間に設けられた発光層を備えた照明装置であって、
前記第一電極の第一辺に接続された第一スイッチと、
前記第一電極の前記第一辺に対向する第二辺に接続された第二スイッチと、
前記第一スイッチ及び前記第二スイッチに接続され、前記第一スイッチと前記第二スイッチとが交互にオンするように制御する制御回路と、
を備えた事を特徴とする照明装置。
【発明の詳細な説明】
【技術分野】
【０００１】
本発明は、バックライトなどに用いる有機ＥＬ素子からなる照明装置に関する。
【背景技術】
【０００２】
近年、有機ＥＬ素子からなる発光装置（照明装置）が、照明器具や電子情報機器における液晶表示画面のバックライトとして用いられている。有機ＥＬ素子からなる発光装置は、自発光型である為、視野角に富み、視認性が高く、薄膜型の完全固体素子であるために省スペースでもある。このような特徴から発光光源として注目されている（例えば、特許文献１参照。）。
【０００３】
従来の有機ＥＬ素子からなる発光装置では、陽極の受電部に近い発光部分とこの受電部から離れた発光部分とで、輝度ムラが発生していた。これは、陽極に用いられている透明電極層の抵抗が大きく、陽極側受電部から離れるに従い電圧降下が大きくなり発光輝度が低下するためである。このような問題に対し、特許文献１では、陽極に補助配線を介して複数の受電部から電力を供給するという提案が成されている。
【先行技術文献】
【特許文献】
【０００４】
【特許文献１】特開２００７−２６９３２号公報
【発明の概要】
【発明が解決しようとする課題】
【０００５】
しかしながら、特許文献１に記載の発光装置では、有機ＥＬ発光領域及び有機ＥＬ発光領域外周の陽極に陽極補助配線を設けている為、陽極及び陽極補助配線は、複雑なレイアウトになり、生産性が低下するとの課題が有った。又、金属電極層形成のための材料コストアップや、製造時における蒸着装置への投入エネルギーの増大、製造時間の増加など、生産性に劣るという課題が有った。換言すれば、発光領域全体での均一な発光と、有機ＥＬ照明装置の高い生産性とを両立させるのが困難で有ると云う課題が有った。
【課題を解決するための手段】
【０００６】
本発明は、上述の課題の少なくとも一部を解決するためになされたものであり、以下の形態または適用例として実現することが可能である。
【０００７】
（適用例１）  本適用例に係わる照明装置は、第一電極と第二電極との間に設けられた発光層を備えた照明装置であって、電源と、電源切り替え部と、制御回路と、第一電極に接続された複数の電源供給部と、を有し、複数の電源供給部のうち第一電源供給部が、電源に接続され、第二電源供給部が電源に接続されないように、制御回路によって電源切り替え部が制御される事を特徴とする。
第一電極を透明導電膜とした場合、透明導電膜の比較的高い比抵抗に由来して、電源供給部の近傍は発光輝度が高くなり、電源供給部から遠ざかるに従い発光輝度は低くなる。この構成によれば、第一電極に電力を供給する電源供給部を順次切り替える事が可能となる。この切り替えを使用者が視認できぬ高速にて行えば、使用者には照明装置が平面的に均一に発光している様に感じられる。即ち、陽極補助配線を設けるなどの特別な構造を取らなくとも、照明装置は単純な構成のままで輝度むらを抑制できる。換言すれば、発光領域全体での均一な発光と有機ＥＬ照明装置の安価で高い生産性とを両立する事ができる。
【０００８】
（適用例２）  上記適用例に係わる照明装置において、電源切り替え部は、複数の電源供給部に接続する複数のスイッチからなる事が好ましい。
この構成によれば、各電源供給部に対応するスイッチを設けるだけで、電源供給部を選択できるので、簡単な構成で、発光領域全体での均一な発光と有機ＥＬ照明装置の安価で高い生産性とを両立する事ができる。
【０００９】
（適用例３）  上記適用例に係わる照明装置において、制御回路は複数のスイッチを選択的にオン状態にする事が好ましい。
スイッチをオン状態にするには、スイッチの入力端子にクロック信号などを供給すれば良い。この構成によれば、複数のスイッチに位相をずらした複数のクロック信号を供給するとの簡便な構成で電源供給部を順次選択する事ができる。
【００１０】
（適用例４）  上記適用例に係わる照明装置において、電源切り替え部は、インバーター回路を含む事が好ましい。
この構成によれば、制御信号からの微小なクロック信号を用いて、直流電源から位相の異なる交流電源を作製する事ができ、各電源供給部に順次選択的に所定の電力を供給する事ができる。
【００１１】
（適用例５）  上記適用例に係わる照明装置において、電源供給部は第一電源供給部と第二電源供給部とを有し、第一電源供給部は第一電極の第一辺に設けられ、第二電源供給部は第一電極の第二辺に設けられ、第一電源供給部と第二電源供給部とは交互に電源と接続される事が好ましい。
この構成によれば、第一電源供給部と第二電源供給部とが交互に第一電極に電力供給するので、発光輝度の高い箇所が第一電源供給部近傍と第二電源供給部近傍とで交替し、時間平均すると発光輝度は均一化される。
【００１２】
（適用例６）  上記適用例に係わる照明装置において、第一電極は多角形をなし、第一辺と第二辺とが対向する様に配置されている事が好ましい。
この構成によれば、発光輝度の高い箇所が第一辺近傍と第二辺近傍とで交替し、第一辺と第二辺とが対向配置されているので、時間平均すると発光輝度は空間的に均一化される。
【００１３】
（適用例７）  本適用例に係わる照明装置は、第一電極と第二電極との間に設けられた発光層を備えた照明装置であって、第一電極の第一辺に接続された第一スイッチと、第一電極の第一辺に対向する第二辺に接続された第二スイッチと、第一スイッチ及び第二スイッチに接続され、第一スイッチと第二スイッチとが交互にオンするように制御する制御回路と、を備えた事を特徴とする。
この構成によれば、第一電極である陽極が接続する第一辺と対向する第二辺より交互に電力供給し、陽極と第二電極である陰極との間に設けられた発光層が発光する。第一辺もしくは第二辺どちらか一方に電力供給した際、陽極配線抵抗による電圧降下により輝度ムラが発生する。しかしながら、第一スイッチ及び第二スイッチ及びそれらを制御する制御回路によって、第一辺もしくは第二辺に接続された陽極より交互に電力供給するタイミングを人間の眼には感じない周波数で切り替えれば、輝度ムラが目立たくすることができる。さらに複雑なレイアウトや補助配線を用いること無く、生産性にすぐれた照明装置を提供することが可能となる。
【図面の簡単な説明】
【００１４】
【図１】実施形態１に係わる照明装置を、機能ブロック毎に表したブロック図。
【図２】実施形態１に係わる照明装置の断面構造を説明する斜視図。
【図３】実施形態１に係わる照明装置の回路機能を説明する図。
【図４】実施形態１に係わる照明装置の電源供給形態を説明する図。
【図５】実施形態２に係わる照明装置の一部を説明する図。
【図６】実施形態２に係わる照明装置の一部を説明する図。
【図７】実施形態３に係る照明装置としての有機ＥＬ発光装置の構成図。
【図８】実施形態３のロードスイッチ１より電源供給した際の模式図。
【図９】実施形態３のロードスイッチ２より電源供給した際の模式図。
【図１０】変形例１に係わる照明装置の一部を示すブロック図。
【図１１】変形例１に係わる電源供給形態を説明する図。
【図１２】変形例２に係わる照明装置の一部を示す斜視外観図。
【発明を実施するための形態】
【００１５】
以下、本発明の実施形態について、図面を参照して説明する。尚、以下の各図においては、各層や各部材を認識可能な程度の大きさにするため、各層や各部材の尺度を実際とは異ならせしめている。
【００１６】
（実施形態１）
「照明装置の概要」
まず、実施形態１に係わる照明装置の全体構成（概要）に関して、図１を参照して説明する。図１は本実施形態に係わる照明装置を、機能ブロック毎に表したブロック図である。
本実施形態に係わる照明装置１は、有機ＥＬパネル１０と、制御回路２０と、電源３０と、電源切り替え部５０と、を有している。有機ＥＬパネル１０は、図２に示す様に、第一電極１３０と第二電極１４０との間に発光層１５０を備えている。ここでは第一電極１３０が陽極をなす透明導電膜で、第二電極１４０が陰極をなす金属膜である。図１に戻って説明を続ける。第一電極１３０には複数の電源供給部が設けられている。即ち、電源供給部は第一電源供給部８１と第二電源供給部８２とを有し、第一電源供給部８１が第一電極１３０の第一辺７１に設けられており、第二電源供給部８２が第一電極１３０の第二辺７２に設けられている。第一辺７１と第二辺７２とは、互いに対向する様に配置されている。互いに対向する様に配置された辺とは、多角形の辺の内でほぼ平行の関係に有る二辺を意味する。本実施形態では、長方形の有機ＥＬパネル１０の上辺が第一辺７１に相当し、それにほぼ平行な下辺が第二辺７２に相当している。これら複数の電源供給部の各々は、電源と選択的に接続される様に、制御回路２０に依り電源切り替え部５０が制御されている。
【００１７】
電源切り替え部５０と電源３０とは電源配線６０にて接続されており、電源切り替え部５０と制御回路２０とは配線４０にて接続されている。更に電源切り替え部５０と第一電源供給部８１とは第一電源配線６１にて接続され、電源切り替え部５０と第二電源供給部８２とは第二電源配線６２にて接続されている。制御回路２０からは制御信号が配線４０を介して電源切り替え部５０に送られ、この制御信号に基づいて電源切り替え部５０は電源３０と、第一電源供給部８１又は第二電源供給部８２とを接続する。この結果、第一電源供給部８１と第二電源供給部８２とは交互に電源３０と接続される事になる。即ち、第一電源供給部８１と電源３０とが接続されている期間には、第二電源供給部８２は電源３０と接続されず、第二電源供給部８２と電源３０とが接続されている期間には、第一電源供給部８１は電源３０と接続されない。第一電源供給部８１と第二電源供給部８２とが交互に電源３０と接続される周期は、人間がこの切り替えを感ずる事ができない高速とし、好適例としては６０Ｈｚ及びその整数倍である。
【００１８】
第一電極１３０が比較的比抵抗の高い透明導電膜である為に、有機ＥＬパネル１０では場所による輝度の相違（輝度むら）が、多かれ少なかれ、発生する。即ち、電源供給部に近い箇所では輝度は高くなり、電源供給部から離れた箇所では輝度は低くなる。本実施形態では、第一電源供給部８１と第二電源供給部８２とが交互に第一電極１３０に電源供給するので、発光輝度の高い箇所が第一電源供給部８１の近傍（第一辺７１の近傍）と第二電源供給部８２の近傍（第二辺７２の近傍）とで高速に交替し、而も第一辺７１と第二辺７２とが対向配置されているので、使用者が感ずる時間平均的には、発光輝度は有機ＥＬパネル１０全体で均一化される。
【００１９】
「照明装置の構造」
図２は本実施形態に係わる照明装置の断面構造を説明する斜視図で有る。
有機物からなる発光層１５０は第一基板１１０と第二基板１２０との間に挟持されている。第一基板１１０も第二基板１２０もガラス基板である。第一基板１１０の表面には、インジウム錫酸化物（ＩＴＯ）から成る薄膜が、基板のエッジ部を除くほぼ全面に、形成されて、第一電極１３０をなしている。インジウム錫酸化物は厚みが１００ｎｍで、可視光に対して透明であり、そのシート抵抗は凡そ１５Ωである。この透明導電膜が発光層１５０に対する陽極となる。発光層１５０からの光は第一基板１１０側から取り出される。
【００２０】
第一電極１３０の第一辺７１付近と第二辺７２付近には後に第一電源供給部８１と第二電源供給部８２とが形成されるので、これらの領域を除いたほぼ全面に発光層１５０が設けられる。更に発光層１５０の上には第二電極１４０が形成される。第二電極１４０は厚みが８００ｎｍのアルミニウム薄膜で、そのシート抵抗は凡そ４０ｍΩである。第二電極１４０のシート抵抗は、第一電極１３０のシート抵抗の０．３％程度と小さい為に、有機ＥＬパネル１０での電位降下は主として第一電極１３０にて生ずる。従って発光輝度むらの原因は主として第一電極１３０の比較的高いシート抵抗値に有る事になる。これを補償すべく、本実施形態では、第一電極１３０に複数の電源供給部を設けている。第二電極１４０は第二基板１２０にて覆われる。
【００２１】
第一電極１３０の第一辺７１付近と第二辺７２付近とには、第一電源供給部８１と第二電源供給部８２とが、それぞれ形成される。これらの部位は、発光層１５０とも第二電極１４０とも第二基板１２０とも重ならない。第一電源供給部８１と第二電源供給部８２とは、細長い長方形の銅箔を異方性導電ペースト（ＡＣＰ）又は異方性導電フィルム（ＡＣＦ）にて第一電極１３０に接着して形成される。銅箔の幅（長辺幅）は第一辺７１乃至は第二辺７２の幅にほぼ一致し、第一電極１３０の第一辺７１と第二辺７２とを幅方向で覆っている。銅箔の長さ（短辺長）は３ｍｍで、この内２．５ｍｍが第一電極１３０と重なっている。銅箔の厚みは０．１ｍｍで、シート抵抗は０．１７ｍΩである。第一電源供給部８１の幅方向の中央部で第一電源配線６１に接続し、第二電源供給部８２の幅方向の中央部で第二電源配線６２に接続するので、有機ＥＬパネル１０の幅が６０ｃｍ有っても、銅箔の中央部から幅方向の端部までの抵抗は１７ｍΩに過ぎない。尚、異方性導電ペースト（ＡＣＰ）や異方性導電フィルム（ＡＣＦ）の厚み方向での抵抗は１ｍΩ未満である。こうして電源供給部に於ける電位降下はほぼゼロとなっている。
【００２２】
「回路機能と電源供給形態」
図３は本実施形態に係わる照明装置の回路機能を説明する図で有る。又、図４は本実施形態に係わる照明装置の電源供給形態を説明する図である。以下、これらの図を用いて回路機能と電源供給形態とを説明する。
図３に示す様に、電源切り替え部５０には、スイッチが含まれており、具体的には第一Ｐ型トランジスターＴＰ１と第二Ｐ型トランジスターＴＰ２とがスイッチとして機能している。電源切り替え部５０は、更にＰ型トランジスターＴＰとＮ型トランジスターＴＮとが正電源Ｖddと負電源Ｖssとの間に直列に配置されてなるインバーター回路を含んでいる。第一Ｐ型トランジスターＴＰ１及び第二Ｐ型トランジスターＴＰ２のソースは電源配線６０を介して電源３０の正電源Ｖddに接続する。第一Ｐ型トランジスターＴＰ１のドレインは第一電源配線６１に接続され、第二Ｐ型トランジスターＴＰ２のドレインは第二電源配線６２に接続される。
【００２３】
制御回路２０からは配線４０を介して矩形波のクロック信号が電源切り替え部５０の入力に供給される。電源切り替え部５０の入力はインバーター回路の入力と、第一Ｐ型トランジスターＴＰ１のゲートとに接続される。インバーター回路の出力は第二Ｐ型トランジスターＴＰ２のゲートに接続される。この結果、第一Ｐ型トランジスターＴＰ１のドレインコンダクタンスと第二Ｐ型トランジスターＴＰ２のドレインコンダクタンスとは、図４に示す様に相補的となる。即ち、一方のトランジスターが高コンダクタンスＨであれば他方は低コンダクタンスＬとなる。第一Ｐ型トランジスターＴＰ１が高コンダクタンスＨであれば、第一電源配線６１の電位は正電源Ｖddに等しくなり、第二Ｐ型トランジスターＴＰ２は低コンダクタンスＬとなる。反対に、第二Ｐ型トランジスターＴＰ２が高コンダクタンスＨであれば、第二電源配線６２の電位は正電源Ｖddに等しくなり、第一Ｐ型トランジスターＴＰ１は低コンダクタンスＬとなる。電源切り替え部５０から出力される矩形波の周波数ｆは６０Ｈｚの整数倍が好ましい。テレビのフレーム周波数が６０Ｈｚや１２０Ｈｚ等６０Ｈｚの整数倍であるので、矩形波の周波数が６０Ｈｚの整数倍で有れば、本実施形態の照明装置１の下でテレビを見てもフリッカー等のちらつきが発生しないからである。こうして第一電源供給部８１と第二電源供給部８２とは、交互に第一電極１３０に対して電力供給する事になる。図４に示される様に、第一Ｐ型トランジスターＴＰ１のドレインコンダクタンスと第二Ｐ型トランジスターＴＰ２のドレインコンダクタンスとの和は一定である為に、照明装置１全体としての輝度は常に一定である。複数の電源供給部に電源供給する際には、各電源配線に接続するスイッチのコンダクタンスの総和が常に一定になる様にする。こうする事で照明装置１の輝度は時間的に均一となる。
【００２４】
「電子機器」
照明装置１は家庭やオフィスなどの照明として使用できる。この他に照明装置１を液晶表示装置のバックライトとして使用したり、或いは電気泳動表示装置のフロントライトとして使用したり、更には静脈認証装置の平面光源として使用する事もできる。この様に照明装置１は輝度の平面的及び時間的な均一性が求められる電子機器に組み込まれる事も可能である。
【００２５】
以上述べた様に、本実施形態に係わる照明装置１によれば、以下の効果を得る事ができる。
第一電極１３０に電源３０と接続する電源供給部を順次高速で切り替えるので、使用者には照明装置１が空間的（平面的）に均一に発光している様に感じられる。又、各電源供給部に供給する電位の総和が常に一定とされているので、照明装置１は時間的にも均一な発光をする。即ち、陽極補助配線を設けるなどの特別な構造を取らなくとも、照明装置１は発光領域全体での空間的及び時間的に均一に発光する事ができる。
【００２６】
尚、本実施形態では、陽極を第一電極１３０としたが、陰極の比抵抗が高い場合、陰極を第一電極としても良い。更には、陽極も陰極も両方を第一電極と同等な構造として、それぞれの電極に複数の電源供給部を設け、電極毎に電源供給部を選択しても良い。
【００２７】
（実施形態２）
「発光領域の形状が異なる形態」
図５は、実施形態２に係わる照明装置の一部を説明する図である。又、図６は、実施形態２に係わる照明装置の一部を説明する図である。以下、本実施形態に係わる照明装置に付いて説明する。尚、実施形態１と同一の構成部品に付いては、同一の番号を附し、重複する説明は省略する。
【００２８】
本実施形態（図５、図６）は実施形態１（図２）と比べて、発光領域の形状等が異なっている。それに伴って、電源供給部の数や配置も変わっている。それ以外の構成は、実施形態１とほぼ同様である。
実施形態１（図２）では有機ＥＬパネル１０が長方形であり、その上辺と下辺とに電源供給部がそれぞれ設けられたが、有機ＥＬパネル１０の形状はこれに限られない。発光層１５０の形状が照明装置１の形状を定める事になるが、これは四角形に限られず様々な形状が可能である。発光層１５０の形状は、例えば多角形でも良く、図５に三角形の一例を、図６に円形の一例を示す。
【００２９】
図５に示す様に、発光層１５０が多角形の場合、第一電極１３０は発光層１５０に相似な多角形となり、発光層１５０を平面視で内包する。第一電極１３０の各辺には電源供給部が設けられ、それぞれの電源供給部が順次電源３０と接続する。この際に、実施形態１と同様、一つの電源供給部が電源３０と接続している場合、他の電源供給部は電源３０と接続しておらず、各電源供給部に供給する電位の総和が常に一定とされている。
【００３０】
図５の例では、発光層１５０も第一電極１３０も正三角形であり、第一電極１３０の三辺に第一電源供給部８１と、第二電源供給部８２と、第三電源供給部８３と、がそれぞれ設けられている。一周期内で各電源供給部が電源３０と接続している期間は１／（６０×３）秒＝５．６ミリ秒である。一般に電源供給部がＮ個（Ｎは２以上の整数）設けられ、一周期が１／ｆ秒である場合、各電源供給部が電源３０と接続している期間は１／（ｆ×Ｎ）秒である。実施形態１で詳述した様に、ｆは６０Ｈｚの整数倍が好ましい。
【００３１】
図６の例では、発光層１５０は円形であり、それを内包する様に、第一電極１３０は発光層１５０よりも大きい正八角形である。第一電極１３０の八辺に第一電源供給部８１と、第二電源供給部８２と、第三電源供給部８３と、第四電源供給部８４と、第五電源供給部８５と、第六電源供給部８６と、第七電源供給部８７と、第八電源供給部８８と、がそれぞれ設けられている。一周期内で各電源供給部が電源３０と接続している期間は１／（６０×８）秒＝２．１ミリ秒である。各電源供給部の選択順序は第一電源供給部８１から第二電源供給部８２、第三電源供給部８３、と反時計回りにしても良いし、第一電源供給部８１から第八電源供給部８８、第七電源供給部８７、と時計回りにしても良い。或いは対向する辺を一つのペアとし、選択されたペアの二辺が共に選択された後に、他のペアを選択しても良い。例えば第一電源供給部８１と第五電源供給部８５のペアが最初に選択され、第一電源供給部８１が選択された後に第五電源供給部８５が選択され、次のペアに移る。次のペアは第三電源供給部８３と第七電源供給部８７であり、第三電源供給部８３が選択された後に第七電源供給部８７が選択され、更に次のペアに移る。次のペアは第二電源供給部８２と第六電源供給部８６であり、第二電源供給部８２が選択された後に第六電源供給部８６が選択され、最後のペアに移る。最後のペアは第四電源供給部８４と第八電源供給部８８であり、第四電源供給部８４が選択された後に第八電源供給部８８が選択され、最初のペアに戻る。
【００３２】
上述した通り、本実施形態に係わる照明装置によれば、実施形態１での効果に加え、あらゆる形状の照明装置１にて均一な発光ができる。
【００３３】
（実施形態３）
「発光領域が長方形である形態」
図７は実施形態３に係る照明装置としての有機ＥＬ発光装置の構成図である。以下、本実施形態に係わる照明装置に付いて説明する。尚、実施形態１乃至２と同一の構成部品に付いては、同一の番号を附し、重複する説明は省略する。
【００３４】
本実施形態（図７）は実施形態１（図３）と比べて、電源切り替え部５０等が異なっている。それ以外の構成は、実施形態１とほぼ同様である。本実施形態では、電源切り替え部５０が、複数のスイッチからなり、各スイッチが複数の電源供給部のそれぞれに一対一に対応して接続している。制御回路は複数のスイッチを選択的にオン状態にする事ができる。スイッチとしてはロードスイッチが使用されている。
【００３５】
有機ＥＬパネル１０は、第一電極である陽極（図示せず）と第二電極である陰極（図示せず）との間に設けられた発光層（図示せず）を備えたものであり、有機ＥＬパネル１０の上辺７１１及びそれに対向する下辺７２１の陽極より電源供給する箇所が設けられている。有機ＥＬパネル１０は、有機ＥＬパネル１０の上辺７１１の陽極と接続された第一電源配線６１と、下辺７２１の陽極に接続された第二電源配線６２とによって電源供給される。第一電源配線６１は電源切り替え部５０の一部をなす第一ロードスイッチ５１と接続し、第二電源配線６２は電源切り替え部５０の一部をなす第二ロードスイッチ５２と接続しており、第一ロードスイッチ５１、第二ロードスイッチ５２は電源配線６０を介し、電源３０と接続している。さらに第一ロードスイッチ５１は、第一配線４１を介し制御回路２０と接続し、第二ロードスイッチ５２は、第二配線４２を介し制御回路２０と接続している。制御回路２０、第一ロードスイッチ５１、第二ロードスイッチ５２の機能は、有機ＥＬパネル１０の上辺７１１または、下辺７２１に電源供給するか否か（オン、オフ）を切り替えることにある。つまり有機ＥＬパネル１０の上辺７１１より電源供給している際は、有機ＥＬパネル１０の下辺７２１より電源供給されない。反対に有機ＥＬパネル１０の下辺７２１より電源供給する際は、有機ＥＬパネル１０の上辺７１１より電源供給されない。この電源供給のオン、オフを制御回路２０により人間の眼に感じない一般的な周波数で切替える。人間の眼に感じない一般的な周波数とは、蛍光灯、テレビの垂直方向の周波数である６０Ｈｚにすることが好適とされる。
【００３６】
図８に第一ロードスイッチ５１より有機ＥＬパネル１０の上辺７１１に電源供給された場合の模式図を示す。
【００３７】
電源切り替え部５０の一部をなす第一ロードスイッチ５１より第一電源配線６１を介し有機ＥＬパネル１０の上辺７１１に電源供給された際、陽極配線の抵抗による電圧降下により、輝度の勾配（以下輝度ムラ）が発生する。その輝度ムラは、図８に記載されている座標ｙの＋ｄｉｒｅｃｔｉｏｎ（電源供給した上辺７１１方向）に輝度が高く、座標ｙの０方向（電源供給されていない下辺７２１方向）に輝度が低くなる。
【００３８】
図９に第二ロードスイッチ５２より有機ＥＬパネル１０の下辺７２１に電源供給された場合の模式図を示す。
【００３９】
電源切り替え部５０の一部をなす第二ロードスイッチ５２より第二電源配線６２を介し有機ＥＬパネル１０の下辺７２１に電源供給された際、陽極配線の抵抗による電圧降下により、輝度ムラが発生する。その輝度ムラは、図９に記載されている座標ｙの＋ｄｉｒｅｃｔｉｏｎ（電源供給していない上辺７１１方向）に輝度が低く、座標ｙの０方向（電源供給した下辺７２１方向）に輝度が高くなる。
【００４０】
図８、図９に示した輝度ムラがある有機ＥＬパネル１０でも、図７に示した構成で駆動させた場合、輝度ムラが目立たなくなる。
【００４１】
尚、本発明は上述した実施形態に限定されず、上述した実施形態に種々の変更や改良などを加える事が可能である。変形例を以下に述べる。
【００４２】
（変形例１）
「正弦波駆動」
図１０は変形例１に係わる照明装置の一部を示すブロック図である。又、図１１は変形例１に係わる電源供給形態を説明する図である。以下、本変形例に係わる照明装置に付いて説明する。尚、実施形態１乃至３と同一の構成部位に付いては、同一の番号を附し、重複する説明は省略する。
本変形例（図１０）は実施形態１（図３）と比べて、制御回路２０から出力される制御信号が異なっている。それに伴い、電源供給形態（図１１）も実施形態１（図４）から変わってくる。それ以外の構成は、実施形態１とほぼ同様である。
【００４３】
実施形態１では矩形波を電源供給部に供給して、発光させていたが、本変形例では正弦波の電源（交流電源）を電源供給部に供給する。図１０に示す様に、電源切り替え部５０は少なくとも一個のインバーター回路を有する。実施形態１と同様に、インバーター回路はＰ型トランジスターＴＰとＮ型トランジスターＴＮとから成る。Ｐ型トランジスターＴＰのソースは電源配線６０を介して電源３０内の正電源Ｖddに接続し、Ｎ型トランジスターＴＮのソースは負電源Ｖssに接続する。制御回路２０からは交流信号が電源切り替え部５０に入力される。電源切り替え部５０に入力された交流信号は２本に分岐され、一本はインバーター回路に入力され、もう一本は第一Ｐ型トランジスターＴＰ１のゲートに入力される。第二Ｐ型トランジスターＴＰ２のゲートにはインバーター回路の出力が接続される。第一Ｐ型トランジスターＴＰ１のソースは正電源Ｖddに接続し、ドレインは第一電源配線６１に接続する。又、第二Ｐ型トランジスターＴＰ２のソースは正電源Ｖddに接続し、ドレインは第二電源配線６２に接続する。
【００４４】
上述の回路構成により、第一Ｐ型トランジスターＴＰ１のドレインコンダクタンスと第二Ｐ型トランジスターＴＰ２のドレインコンダクタンスとは位相がπ（１８０°）ずれて、図１１に示す様な信号となる。即ち、第一辺７１側が明るく発光している時には第二辺７２側は暗く発光しており、第一辺７１側が暗く発光している時には第二辺７２側は明るく発光している。尚、第一Ｐ型トランジスターＴＰ１のドレインコンダクタンスと第二Ｐ型トランジスターＴＰ２のドレインコンダクタンスとの和は、常に高コンダクタンスＨとなるので、照明装置全体が発光する明るさは一定である。矩形波に依る駆動では、タイミングのずれにより、非発光期間が発生する恐れが僅かにあるが、本変形例ではこうした可能性は皆無となり、常に滑らかな光が均一に発光している様に感じられる。
【００４５】
一般に、電源供給部がｋ個（ｋは２以上の整数）有る場合、各電源供給部に連なるスイッチのコンダクタンスは位相を２π／ｋずつずらし、振幅を一つのスイッチの１／ｋとする。具体的には、ｉ番目（ｉは１からｋ迄の整数）のスイッチのコンダクタンスＣ1iを式１とする。
【００４６】
【数１】
2012109203.tif 000003
【００４７】
ここでＣ0は一つのスイッチのコンダクタンスの振幅、φ0は適当な位相調整値、ｆは周波数で６０Ｈｚの整数倍が好ましく、ｔは時刻である。図１１は、式１でｋ＝２、φ0＝１／４とし、ＴＰ１にはｉ＝１、ＴＰ２にはｉ＝２、としてある。各スイッチのコンダクタンスＣ1iの和は、式２に示す様に、必ずＣ0となる。
【００４８】
【数２】
2012109203.tif 000004
【００４９】
従って、照明装置１の輝度は時間的に常に一定となる。
【００５０】
以上述べた様に、本変形例に係わる照明装置１によれば、実施形態１乃至３の効果に加えて、電源供給部の切り替えが滑らかで、優しく均一な照明を得る事ができる。
【００５１】
（変形例２）
「両面発光又は曲面発光の形態」
図１２は変形例２に係わる照明装置の一部を示す斜視外観図である。以下、本変形例に係わる照明装置に付いて説明する。尚、実施形態１乃至３と同一の構成部位に付いては、同一の番号を附し、重複する説明は省略する。
本変形例（図１２）は実施形態１（図２）と比べて、照明装置の外観形状や発光形態が異なっている。それ以外の構成は、実施形態１とほぼ同様である。
【００５２】
実施形態１では有機ＥＬパネル１０が平板状で有ったが、有機ＥＬパネル１０の形状はこれに限られず、曲面状で有っても構わない。この場合、第一基板１１０や第二基板１２０には可撓性を有する基板を使用する。例えば、両基板ともポリエチレンテレフタレート（ＰＥＴ）などのプラスチックフィルムとする。
【００５３】
又、実施形態１では第一基板１１０側に光を取り出したが、第一基板１１０側にも第二基板１２０側にも、両側に光を取り出しても構わない。この場合、第二電極１４０も透明導電膜とする。例えば、第二電極１４０を厚さ１０ｎｍ程のアルミニウムとすれば、可視光領域で第二電極１４０の透過率は２０％程度となる。こうする事で、発光層１５０で生じた光を第二基板１２０側に取り出す事も可能になる。図１２では第一基板１１０にも第二基板１２０にもＰＥＴフィルムを用い、照明装置１は円筒形となっている。円筒形の外側に第一基板１１０が配置され、内側に第二基板１２０が配置され、円筒形の内側にも外側にも光を取り出している。第一電極１３０は１００ｎｍ厚のＩＴＯであり、第二電極１４０は１０ｎｍ厚のアルミニウムである。曲面形状で両面発光の照明装置１となる。
【００５４】
以上述べた様に、本変形例に係わる照明装置によれば、実施形態１乃至３の効果に加えて、照明装置の形状を自由にでき、而も両面発光させる事ができる。
【符号の説明】
【００５５】
１…照明装置、１０…有機ＥＬパネル、２０…制御回路、３０…電源、４０…配線、５０…電源切り替え部、６０…電源配線、６１…第一電源配線、６２…第二電源配線、７１…第一辺、７２…第二辺、８１…第一電源供給部、８２…第二電源供給部、１１０…第一基板、１２０…第二基板、１３０…第一電極、１４０…第二電極、１５０…発光層。
【図１】
2012109203.tif 000005
【図２】
2012109203.tif 000006
【図３】
2012109203.tif 000007
【図４】
2012109203.tif 000008
【図５】
2012109203.tif 000009
【図６】
2012109203.tif 000010
【図７】
2012109203.tif 000011
【図１０】
2012109203.tif 000012
【図１１】
2012109203.tif 000013
【図１２】
2012109203.tif 000014
【図８】
2012109203.tif 000015
【図９】
2012109203.tif 000016